(57)【要約】【課題】ホスト装置および画像処理装置の動作状態を関連づけることにより、省エネルギー効率の良い画像処理システムを提供することである。【解決手段】ＰＣ装置の省電力機能は、ＲＯＭ内の動作状況判断プログラムを起動させてＰＣ装置の動作状況を判断する（Ｓ１１）。この判断の結果、ネットワーク上の全てのＰＣ装置がスリープ状態であると判断された場合（Ｓ１１；Ｙ）、ＰＣ装置の省電力機能は、スリープコマンドをネットワーク上の全てのプリンタ装置に転送し（Ｓ１２）、ＰＣ装置の動作状況を判断するＳ１１の処理を繰り返す。一方、ネットワーク上の全てのＰＣ装置のうち１台でもスリープ状態でないと判断された場合（Ｓ１１；Ｎ）、該当するＰＣ装置の省電力機能は、スタンバイコマンドをネットワーク上の全てのプリンタ装置に転送し（Ｓ１３）、ＰＣ装置の動作状況を判断するＳ１１の処理を繰り返す。【選択図】　図３
2004001241.tif 000002
【特許請求の範囲】
【請求項１】
単数または複数のホスト装置とネットワーク接続が可能な画像形成装置において、
消費電力量を低減させる省電力機能を機能させて当該画像形成装置を省エネルギーモードに移行させる省電力手段と、
前記ホスト装置が省エネルギーモードにある場合に転送される省エネルギーコマンドを受信するコマンド受信手段と、を備え、
前記コマンド受信手段が、当該画像形成装置と接続されているすべての前記ホスト装置から省エネルギーコマンドを受信した場合、前記省電力手段により当該画像形成装置を省エネルギーモードに移行させることを特徴とする画像形成装置。
【請求項２】
前記省電力手段により移行される省エネルギーモードは、消費電力量毎に複数の階層を有し、省エネルギーモードに移行する場合、移行先の省エネルギーモードの階層を前記階層から任意に設定可能とすることを特徴とする請求項１記載の画像形成装置。
【請求項３】
前記ホスト装置が省エネルギーモードにない場合に転送される省エネルギー解除コマンドを受信する解除コマンド受信手段と、を備え、
前記解除コマンド受信手段が、当該画像形成装置と接続されている１つ以上の前記ホスト装置から省エネルギー解除コマンドを受信した場合、前記省電力機能を停止して省エネルギーモードを解除し通常動作モードに移行させることを特徴とする請求項１記載の画像形成装置。
【請求項４】
単数または複数のホスト装置とネットワーク接続が可能な画像形成装置において、
消費電力量を低減させる省電力機能を機能させて当該画像形成装置を省エネルギーモードに移行させる省電力手段と、
前記ホスト装置が省エネルギーモードにある場合に転送される省エネルギーコマンドを受信するコマンド受信手段と、を備え、
前記コマンド受信手段が、当該画像形成装置と接続されている所定のホスト装置から省エネルギーコマンドを受信した場合、前記省電力手段により当該画像形成装置を省エネルギーモードに移行させることを特徴とする画像形成装置。
【請求項５】
前記所定のホスト装置は、当該画像形成装置と接続されているすべてのホスト装置の中から選択可能とすることを特徴とする請求項４記載の画像形成装置。
【請求項６】
前記所定のホスト装置が省エネルギーモードにない場合に転送される省エネルギー解除コマンドを受信する解除コマンド受信手段と、を備え、
前記解除コマンド受信手段が、前記所定のホスト装置からの省エネルギー解除コマンドを受信した場合、前記省電力機能を停止して省エネルギーモードを解除し通常動作モードに移行させることを特徴とする請求項４記載の画像形成装置。
【発明の詳細な説明】
【０００１】
【発明の属する技術分野】
本発明は、他の端末装置とネットワークを介して接続されており、省電力モード制御を行うことができるプリンタ装置、ファクシミリ装置などの画像形成装置に関する。
【０００２】
【従来の技術】
近年、ＬＡＮ（ローカル・エリア・ネットワーク）などのネットワーク構築技術の発達に伴い、ホスト装置と複数のプリンタ装置、ファクシミリ装置、複写機などの画像形成装置とをネットワーク接続し、効率的に事務処理を行うネットワークシステムが幅広く利用されている。このようにホスト装置と多数の画像形成装置がネットワーク接続されている環境においては、常時、各画像形成装置を使用可能な状態に保たなければならないため必然的に電力の消費量が高まってしまう。
そこで従来、この電力の消費量を抑制する目的で省電力機能を搭載した装置が実用化されている。
例えば、ディスプレイやハードディスクへの給電を停止したり、ＣＰＵ（中央演算処理装置）の動作速度を落としたりする省エネルギーモードに入るまでの時間である省エネルギー移行時間の条件を予め設定しておき、印刷要求がない状態で設定時間が経過した場合に、画像形成装置を自動的に省エネルギーモードに移行させるようにした装置がある。
また、省エネルギー移行時間に関係なく所定のキー操作などにより強制的に省エネルギーモードに移行させたり、通常動作モードに復帰させたりする機能を搭載した装置も普及している。
【０００３】
他にも、このような環境で使用される画像形成装置における省エネルギー化を図るための技術が提案されている。
例えば、特開平１１−１５７１８４号公報には、省エネルギーモードの保持時間を調節して消費する電力を抑制する技術が開示されている。この技術は、優先度の低い文書の印刷要求を一旦サーバに格納して、所定の時間間隔でプリント出力処理を行うことにより省エネルギーモードの保持時間を長く確保するものである。これにより、画像形成装置を小刻みに使用する場合に比べて省エネルギー効率が改善できるようになる。
【０００４】
【発明が解決しようとする課題】
しかしながら、特開平１１−１５７１８４号公報で開示されている技術は、優先度の低い文書の印刷要求が多く存在する場合には大変有効であるが、優先度の高い文書の印刷要求が頻繁に出される場合には、省エネルギーモードが強制的に解除されてしまうため効果的な省エネルギー効率の改善はあまり望めない。
また、上記の省エネルギー移行時間を装置単体で設定する画像形成装置の場合、印刷要求元のホスト装置の動作状況とは無関係に、所定の時間が経過すると省エネルギーモードへ移行してしまう。そして、ホスト装置も画像形成装置の動作状況とは無関係に、所定の時間が経過すると省エネルギーモードへ移行してしまう。
このため、ホスト装置が省エネルギーモードであるにもかかわらず画像形成装置が通常動作モードであるという状況が存在してしまう。このような状況下での画像形成装置の消費電力量を抑えるためにも、ホスト装置が省エネルギーモードに移行すると同時に画像形成装置も省エネルギーモードへ移行することが望ましい。
【０００５】
さらに、ホスト装置が省エネルギーモードでないにもかかわらず画像形成装置が省エネルギーモードに移行してしまうという状況も存在してしまう。このような状況下では、ホスト装置から印刷要求が出されても画像形成装置が通常動作モードへ復帰するまでの間待たされる場合があり印刷処理が遅れるおそれがある。
このような印刷時の遅れ時間を解消するためにも、ホスト装置が省エネルギーモードから通常動作モードに復帰すると同時に画像形成装置も通常動作モードへ復帰することが望ましい。
そこで、本発明の目的は、省エネルギーモードへの移行および省エネルギーモードからの復帰動作を、ホスト装置の動作状態と関連づけて行うことにより、省エネルギー効率を向上させることができる画像形成装置を提供することである。
【０００６】
【課題を解決するための手段】
請求項１記載の発明では、単数または複数のホスト装置とネットワーク接続が可能な画像形成装置において、消費電力量を低減させる省電力機能を機能させて当該画像形成装置を省エネルギーモードに移行させる省電力手段と、前記ホスト装置が省エネルギーモードにある場合に転送される省エネルギーコマンドを受信するコマンド受信手段と、を備え、前記コマンド受信手段が、当該画像形成装置と接続されているすべての前記ホスト装置から省エネルギーコマンドを受信した場合、前記省電力手段により当該画像形成装置を省エネルギーモードに移行させることにより前記目的を達成する。
【０００７】
請求項２記載の発明では、請求項１記載の発明において、前記省電力手段により移行される省エネルギーモードは、消費電力量毎に複数の階層を有し、省エネルギーモードに移行する場合、移行先の省エネルギーモードの階層を前記階層から任意に設定可能とすることにより前記目的を達成する。
【０００８】
請求項３記載の発明では、請求項１記載の発明において、前記ホスト装置が省エネルギーモードにない場合に転送される省エネルギー解除コマンドを受信する解除コマンド受信手段と、を備え、前記解除コマンド受信手段が、当該画像形成装置と接続されている１つ以上の前記ホスト装置から省エネルギー解除コマンドを受信した場合、前記省電力機能を停止して省エネルギーモードを解除し通常動作モードに移行させることにより前記目的を達成する。
【０００９】
請求項４記載の発明では、単数または複数のホスト装置とネットワーク接続が可能な画像形成装置において、消費電力量を低減させる省電力機能を機能させて当該画像形成装置を省エネルギーモードに移行させる省電力手段と、前記ホスト装置が省エネルギーモードにある場合に転送される省エネルギーコマンドを受信するコマンド受信手段と、を備え、前記コマンド受信手段が、当該画像形成装置と接続されている所定のホスト装置から省エネルギーコマンドを受信した場合、前記省電力手段により当該画像形成装置を省エネルギーモードに移行させることにより前記目的を達成する。
【００１０】
請求項５記載の発明では、請求項４記載の発明において、前記所定のホスト装置は、当該画像形成装置と接続されているすべてのホスト装置の中から選択可能とすることにより前記目的を達成する。
【００１１】
請求項６記載の発明では、請求項４記載の発明において、前記所定のホスト装置が省エネルギーモードにない場合に転送される省エネルギー解除コマンドを受信する解除コマンド受信手段と、を備え、前記解除コマンド受信手段が、前記所定のホスト装置からの省エネルギー解除コマンドを受信した場合、前記省電力機能を停止して省エネルギーモードを解除し通常動作モードに移行させることにより前記目的を達成する。
【００１２】
【発明の実施の形態】
以下、本発明の好適な実施の形態について、図１ないし図４を参照して詳細に説明する。
図１は、本実施の形態に係る画像形成システムの概略構成を示した図である。
この画像形成システムは、画像形成装置であるプリンタ装置１〜２がＬＡＮ（ローカル・エリア・ネットワーク）７で接続されており、さらに、ホスト装置であるＰＣ（パーソナル・コンピュータ）装置３〜４がＨＵＢ（ハブ）６を介してＬＡＮ７と接続されている。
このように構成することにより、ＰＣ装置３〜５はプリンタ装置１〜２を共有できるようになっている。
プリンタ装置１〜２は、ネットワーク接続可能な装置であり、ＣＰＵ（中央演算処理装置）、ＲＯＭ（リード・オンリ・メモリ）、ＲＡＭ（ランダム・アクセス・メモリ）およびハードディスクを搭載している。
ＰＣ装置３〜５は、ＣＰＵ、ＲＯＭ、ＲＡＭおよびハードディスクを搭載した本体、キーボード、マウス、ディスプレイ装置などから構成されている。ＰＣ装置３〜５で作成した文字や図形、表などが印刷要求としてプリンタ装置１〜２へ出されるようになっている。
また、プリンタ装置１〜２およびＰＣ装置３〜５は、内部に省電力機能を備えている。
【００１３】
始めに、プリンタ装置１〜２およびＰＣ装置３〜５に備えられている省電力機能について説明する。
この省電力機能とは、消費電力量を低減するための機能であり、一定時間装置の操作がされない場合などに、ディスプレイやハードディスクへの給電を停止したり、ＣＰＵの動作速度を落としたりする働きのことである。省電力機能を動作させるまでの時間は装置毎に任意に設定できるようになっている。さらに、プリンタ装置１〜２およびＰＣ装置３〜５に備えられている省電力機能は、外部からのコマンドを受信する機能を搭載することにより、ネットワークを介して遠隔制御できるようになっている。
この省電力機能が働いている状態を省エネルギーモード、省電力機能が働いていない状態を通常動作モードと呼ぶ。
【００１４】
次に、プリンタ装置１〜２およびＰＣ装置３〜５における動作状態について図２を参照して説明する。
図２は、プリンタ装置１〜２およびＰＣ装置３〜５における各動作状態の遷移関係を示した図である。
プリンタ装置１〜２およびＰＣ装置３〜５における動作状態は機能している箇所の違いから、ワーキング状態１１、２１、スタンバイ状態１２、２２およびスリープ状態１３、２３の３つに分けられる。
ワーキング状態１１、２１は、各装置が動作をしている状態である。プリンタ装置１〜２では、印刷要求を受けて印刷処理をしている状態であり、ＰＣ装置３〜５では、文字や図形、表などを作成している状態である。
スタンバイ状態１２、２２は、装置自体の動作はしておらず、かつ、省電力機能も働いていないため、いつでも動作状態に遷移することができる状態である。これは、一般にＩｄｌｅ（アイドル）中と呼ばれる状態を示す。
【００１５】
スリープ状態１３、２３は、省電力機能が働いている省エネルギーモードの状態である。このスリープ状態１３、２３は、プリンタ装置１〜２におけるスリープ状態１３とＰＣ装置３〜５におけるスリープ状態２３とで状態の内容が異なるため、装置毎に分けて説明する。
ＰＣ装置３〜５におけるスリープ状態１３は、機能を停止している箇所の違いからＣＰＵスリープ状態１３１、システムスリープ状態１３２およびデバイススリープ状態１３３の３つの状態に分けられる。
ＣＰＵスリープ状態１３１は、ＣＰＵのみが機能を停止している状態である。
システムスリープ状態１３２は、システムメモリを除く全システムの機能を停止している状態である。
デバイススリープ状態１３３は、ＰＣ装置３〜５の全てのハードウェアへの給電を停止した状態である。
ＰＣ装置３〜５では、ワーキング状態１１→スタンバイ状態１２→ＣＰＵスリープ状態１３１→システムスリープ状態１３２→デバイススリープ状態１３３の順に消費電力量が少なくなっている。
ＰＣ装置３〜５におけるスリープ状態１３は、ＣＰＵスリープ状態１３１、システムスリープ状態１３２およびデバイススリープ状態１３３を条件に応じて遷移するようになっている。この条件（各状態への遷移するまでの時間など）の設定はＰＣ装置３〜５において任意に行うことができる。
【００１６】
一方、プリンタ装置１〜２におけるスリープ状態２３は、機能を停止している部分の違いからＣＰＵスリープ状態２３１および低電力状態２３２の２つの状態に分けられる。
ＣＰＵスリープ状態２３１は、ＰＣ装置３〜５と同様にＣＰＵのみが機能を停止している状態である。
低電力状態２３２は、ＬＣＤ（液晶ディスプレイ）パネルへの給電を停止し、さらにプリンタ装置１〜２に内蔵されているトナーを定着させるためのヒータ設定温度の制御（具体的には、設定温度を下げる）を行っている状態である。
【００１７】
次に、本実施の形態における画像形成システムの動作について図３を参照して説明する。
図３は、画像形成システムにおける状態遷移管理処理の動作手順を示したフローチャートである。
まず、ＰＣ装置３〜５の省電力機能は、ＲＯＭ内の動作状況判断プログラムを起動させてＰＣ装置３〜５の動作状況を判断する（ステップ１１）。
この判断の結果、ネットワーク上の全てのＰＣ装置３〜５がスリープ状態１３であると判断された場合（ステップ１１；Ｙ）、ＰＣ装置３〜５の省電力機能は、スリープコマンドをネットワーク上の全てのプリンタ装置１〜２に転送し（ステップ１２）、ＰＣ装置３〜５の動作状況を判断するステップ１１の処理を繰り返す。
一方、ネットワーク上の全てのＰＣ装置３〜５のうち１台でもスリープ状態１３でないと判断された場合（ステップ１１；Ｎ）、該当するＰＣ装置３〜５の省電力機能は、スタンバイコマンドをネットワーク上の全てのプリンタ装置１〜２に転送し（ステップ１３）、ＰＣ装置３〜５の動作状況を判断するステップ１１の処理を繰り返す。
【００１８】
次に、ＰＣ装置３〜５から転送されたスリープコマンドおよびスタンバイコマンドを受信したプリンタ装置１〜２の動作について説明をする。
プリンタ装置１〜２がスリープコマンドを受信した時にワーキング状態２１にある場合、プリンタ装置１〜２の省電力機能は、処理中の印刷要求の印刷が全て終了した後にプリンタ装置１〜２の状態をスタンバイ状態２２→スリープ状態２３の順に遷移させる。この時のプリンタ装置１〜２のスリープ状態２３は、ＣＰＵスリープ状態２３１または低電力状態２３２のいずれかを任意に設定することができる。
例えば、ＰＣ装置３〜５がＣＰＵスリープ状態１３１にある場合にはプリンタ装置１〜２をＣＰＵスリープ状態２３１に設定したり、また、より消費電力量を軽減するために低電力状態２３２に設定したりできる。
そして、プリンタ装置１〜２がスリープコマンドを受信した時にスタンバイ状態２２にある場合、プリンタ装置１〜２の省電力機能は、プリンタ装置１〜２の状態をスタンバイ状態２２に遷移させる。
プリンタ装置１〜２がスリープコマンドを受信した時にスリープ状態２３にある場合、プリンタ装置１〜２の省電力機能は、引き続きプリンタ装置１〜２の状態を現状のスリープ状態２３に維持させる。
【００１９】
また、プリンタ装置１〜２がスタンバイコマンドを受信した時にワーキング状態２１にある場合、プリンタ装置１〜２の省電力機能は、処理中の印刷要求の印刷が全て終了した後にプリンタ装置１〜２の状態をスタンバイ状態２２に遷移させる。
プリンタ装置１〜２がスタンバイコマンドを受信した時にスタンバイ状態２２にある場合、プリンタ装置１〜２の省電力機能は、引き続きプリンタ装置１〜２の状態をスタンバイ状態２２に維持させる。
プリンタ装置１〜２がスタンバイコマンドを受信した時にスリープ状態２３にある場合、プリンタ装置１〜２の省電力機能は、プリンタ装置１〜２の状態をスタンバイ状態２２に遷移させる。
【００２０】
プリンタ装置１〜２には、予め省電力機能を動作させるための条件が設定されている。例えば、３分以上プリンタ装置１〜２を操作（動作）しない場合には、省電力機能を動作させるようにする。また、この設定時間は、プリンタ装置１〜２毎に任意に設定することができる。
本実施の形態におけるプリンタ装置１〜２は、この予め設定されている省電力機能を動作させるための条件とは無関係に、ＰＣ装置３〜５から転送されてくるコマンドを優先させるようになっている。
【００２１】
本実施の形態によれば、ＰＣ装置３〜５の動作状況を判断してプリンタ装置１〜２の省エネルギーモードを制御することにより、従来の画像形成システムで存在していたＰＣ装置３〜５がスリープ状態１３である時にプリンタ装置１〜２がスリープ状態２３にないという状況が解消され、消費電力量が抑制できる。
また、ＰＣ装置３〜５から印刷要求が出された時にプリンタ装置１〜２がスリープ状態２３にあるという状況が解消され、省エネルギーモードからの復帰時間を削減できる。
さらに、プリンタ装置１〜２およびＰＣ装置３〜５にそれぞれスリープ状態のレベルを任意に設定できる機能を備えることにより、画像形成システムを、長時間使用しない場合はより深い省エネルギーモード（消費電力量が少ない状態）と、画像形成システムを短時間使用しない場合は浅い省エネルギーモード（消費電力量は深いエネルギーモードよりは多いが復帰時間が短い状態）とを操作状況に合わせて切り替えることができる。
【００２２】
次に、プリンタ装置１〜２とＰＣ装置３〜５との関連づけをして省電力機能を起動させる場合における画像形成システムの動作について説明する。
図４は、管理ＰＣ装置設定機能を有する画像形成システムにおける状態遷移管理処理の動作手順を示したフローチャートである。
まず、画像形成システムは、画像形成システム全体の省電力機能を管理する管理ＰＣ装置を設定する（ステップ２１）。この管理ＰＣ装置は、画像形成システム内のＰＣ装置３〜５より選択して設定することができる。
【００２３】
例として、ＰＣ装置３を管理ＰＣ装置として設定する場合について説明する。
この管理ＰＣの設定は、管理ＰＣ装置に設定するＰＣ装置３において、ＲＯＭ内のプリンタ管理プログラムを起動させて、ＰＣ装置３がスリープ状態１３に移行した場合にプリンタ装置１〜２へスリープコマンドを転送するようにすることにより行う。具体的には、スリープコマンド発行するという内容の項目を有効にする（チェックをする）。
次に、管理ＰＣ装置として設定したＰＣ装置３の省電力機能は、ＲＯＭ内の動作状況判断プログラムを起動させてＰＣ装置３の動作状況を判断する（ステップ２２）。
この判断の結果、ＰＣ装置３がスリープ状態１３であると判断された場合（ステップ２２；Ｙ）、ＰＣ装置３の省電力機能は、スリープコマンドをネットワーク上の全てのプリンタ装置１〜２に転送し（ステップ２３）、ＰＣ装置３の動作状況を判断するステップ２２の処理を繰り返す。
【００２４】
一方、ＰＣ装置３がスリープ状態１３でないと判断された場合（ステップ２２；Ｎ）、ＰＣ装置３の省電力機能は、スタンバイコマンドをネットワーク上の全てのプリンタ装置１〜２に転送し（ステップ２４）、ＰＣ装置３の動作状況を判断するステップ２２の処理を繰り返す。
この例では、ＰＣ装置３が管理ＰＣ装置に設定されているため、このＰＣ装置３がスリープ状態１３になると、スリープコマンドがＰＣ装置３からプリンタ装置１〜２へ転送されてプリンタ装置１〜２がスリープ状態２３に遷移するようになっている。なお、管理ＰＣ装置に設定されていないＰＣ装置４〜５がスリープ状態１３になっても、スリープコマンドがプリンタ装置１〜２に転送されることはない。
【００２５】
次に、管理ＰＣ装置の設定を変更する方法について説明する
例として、管理ＰＣ装置の設定をＰＣ装置３からＰＣ装置４へ変更する場合について説明する。
まず、現在管理ＰＣ装置に設定されているＰＣ装置３において、ＲＯＭ内のプリンタ管理プログラムを起動させて、ＰＣ装置３がスリープ状態１３に移行した場合にプリンタ装置１〜２へスリープコマンドを転送する機能を解除する。具体的には、スリープコマンド発行するという内容の項目を無効にする（チェックを外す）。
次に、新しく管理ＰＣ装置に設定するＰＣ装置４において、ＲＯＭ内のプリンタ管理プログラムを起動させて、ＰＣ装置４がスリープ状態１３に移行した場合にプリンタ装置１〜２へスリープコマンドを転送するようにすることにより行う。具体的には、スリープコマンド発行するという内容の項目を有効にする（チェックをする）。
なお、管理ＰＣ装置装置が画像形成システム内で重複して設定されている場合には、重複して設定されている管理ＰＣ装置の中で始めにスリープ状態１３になったＰＣ装置のからのスリープコマンドを優先する。
【００２６】
本実施の形態における画像形成システムでは、管理ＰＣ装置の設定および設定の解除を該当するＰＣ装置３〜５においてプリンタ管理プログラムを起動させて行うようにしているが、各ＰＣ装置３〜５に画像形成システムにおける管理ＰＣ装置の設定および解除を一括して行う機能を搭載して画像形成システムにおける管理ＰＣ装置の設定および設定の解除を１つのＰＣ装置３〜５で行うようにしてもよい。
また、このような機能をプリンタ装置１〜２に搭載してプリンタ装置１〜２側から管理ＰＣ装置の設定および設定の解除を行うようにしてもよい。
【００２７】
【発明の効果】
請求項１記載の発明によれば、ホスト装置の動作と画像形成装置の動作とを関連づけて省電力機能を制御することにより、画像形成装置の消費電力量を低減することができる。
請求項２記載の発明によれば、省エネルギーモードの段階を制御することができることにより、画像形成装置の使用環境に合った適切な省エネルギー管理ができる。
請求項３記載の発明によれば、ホスト装置の動作と画像形成装置の動作とを関連づけて省電力機能の解除を行うことにより、画像形成装置の省エネルギーモードからの復帰時間が削減されて画像形成装置の利便性が向上できる。
【００２８】
請求項４記載の発明によれば、特定のホスト装置の動作と画像形成装置の動作とを関連づけて省電力機能を制御することにより、効率よく画像形成装置の消費電力量を低減することができる。
請求項５記載の発明によれば、画像形成装置の動作と関連づけをするホスト装置を選択可能にすることにより、画像形成装置の使用環境に合った適切な省エネルギー管理ができる。
請求項６記載の発明によれば、特定のホスト装置の動作と画像形成装置の動作とを関連づけて省電力機能の解除を行うことにより、効果的に画像形成装置の省エネルギーモードからの復帰時間を削減することができる。
【図面の簡単な説明】
【図１】本実施の形態に係る画像形成システムの概略構成を示した図である。
【図２】プリンタ装置およびＰＣ装置における各動作状態の遷移関係を示した図である。
【図３】ＰＣ装置における状態遷移管理処理の動作手順を示したフローチャートである。
【図４】管理ＰＣ装置設定機能を有する画像形成システムにおける状態遷移管理処理の動作手順を示したフローチャートである。
【符号の説明】
１　プリンタ装置
２　プリンタ装置
３　ＰＣ装置
４　ＰＣ装置
５　ＰＣ装置
６　ＨＵＢ
７　ＬＡＮ
【図１】
2004001241.tif 000003
【図２】
2004001241.tif 000004
【図３】
2004001241.tif 000005
【図４】
2004001241.tif 000006